(57)【要約】【課題】後輪を回転駆動する動力を発揮する電動モータを備える鞍乗型電動車両において、より大型のバッテリを配置することを可能とするとともに、予備のバッテリのコンパクトな配置を可能とする。【解決手段】ヘッドパイプ１３もしくはメインフレーム１４の前端部に連設されて下方に延びるダウンフレーム１５と、メインフレーム１４の後端部に連設されて下方に延びるピボットフレーム１６と、メインフレーム１４とで囲まれる第１の空間Ｓ１に、電動モータ２９に電力を供給するメインバッテリ３０が配置され、乗員用シート２８を支持するようにしてメインフレーム１４の後部に連なるシートレール１８と、メインフレーム１４とで囲まれる第２の空間Ｓ２に、メインバッテリ３０に代わって電動モータ２９に電力を供給し得るサブバッテリ４０が配置され、電動モータ２９が第１および第２の空間Ｓ１，Ｓ２と異なる位置に配置される。【選択図】        図３
2010083332.tif 000002
【特許請求の範囲】
【請求項１】
前輪（ＷＦ）を下端部で軸支するフロントフォーク（１１）および操向ハンドル（１２）を操向可能に支承するヘッドパイプ（１３）と、該ヘッドパイプ（１３）から後下がりに延びるメインフレーム（１４）と、後輪（ＷＲ）を回転駆動する動力を発揮する電動モータ（２９）とを備える鞍乗型電動車両において、前記ヘッドパイプ（１３）もしくは前記メインフレーム（１４）の前端部に連設されて下方に延びるダウンフレーム（１５）と、前記メインフレーム（１４）の後端部に連設されて下方に延びるピボットフレーム（１６，５３）と、前記メインフレーム（１４）とで囲まれる第１の空間（Ｓ１）に、前記電動モータ（２９）に電力を供給するメインバッテリ（３０）が配置され、乗員用シート（２８）を支持するようにして前記メインフレーム（１４）の後部に連なるシートレール（１８，５２）と、前記メインフレーム（１４）とで囲まれる第２の空間（Ｓ２）に、前記メインバッテリ（３０）に代わって前記電動モータ（２９）に電力を供給し得るサブバッテリ（４０）が配置され、電動モータ（２９）が第１および第２の空間（Ｓ１，Ｓ２）をと異なる個所に配置されることを特徴とする鞍乗型電動車両。
【請求項２】
前記ピボットフレーム（１６，５３）に、後端部に前記後輪（ＷＲ）を軸支するスイングアーム（２３）の前端部が上下に揺動可能に連結され、前記電動モータ（２９）がその回転軸線を前記後輪（ＷＲ）と同軸として前記スイングアーム（２３）の後端部に配設されることを特徴とする請求項１記載の鞍乗型電動車両。
【請求項３】
相互に結合されて前記メインバッテリ（３０）を構成する複数のメインバッテリ用セル（３１）が、前記メインフレーム（１４）に沿う上面を有して第１の空間（Ｓ１）に配置されるメインバッテリボックス（３２）内に、該メインバッテリボックス（３２）の形状に合わせて整列配置され、相互に結合されて前記サブバッテリ（４０）を構成する複数のサブバッテリ用セル（４１）が、第２の空間（Ｓ２）に合わせて形成されて第２の空間（Ｓ２）に配置されるサブバッテリボックス（４０）内に、該サブバッテリボックス（４０）の形状に合わせて整列配置されることを特徴とする請求項１または２記載の鞍乗型電動車両。
【請求項４】
前記ダウンフレーム（１５）および前記ピボットフレーム（１６，５３）の下部間に、前記ダウンフレーム（１５）および前記ピボットフレーム（１６，５３）を連結する連結状態と、その連結を解除して前記メインバッテリボックス（３２）を下方に取り出し可能とした連結解除状態とを切換えることを可能としたロアフレーム（３３）が設けられることを特徴とする請求項３記載の鞍乗型電動車両。
【発明の詳細な説明】
【技術分野】
【０００１】
本発明は、前輪を下端部で軸支するフロントフォークおよび操向ハンドルを操向可能に支承するヘッドパイプと、該ヘッドパイプから後下がりに延びるメインフレームと、後輪を回転駆動する動力を発揮する電動モータとを備える鞍乗型電動車両に関する。
【背景技術】
【０００２】
ヘッドパイプから後下がりに延びるメインフレームの下方に、電動モータに電力を供給するバッテリを配置するようにした自動二輪車が、特許文献１で知られている。
【特許文献１】特開２００３−１８２６６９号公報
【発明の開示】
【発明が解決しようとする課題】
【０００３】
ところが、上記特許文献１で開示されたものでは、メインフレームから垂下されたフロントブラケットの下部と、メインフレームの後端から下方に延びるピボットフレームの下部との間に、後輪を回転駆動する動力を発揮する電動モータを有するモータユニットが取付けられており、バッテリは、モータユニットおよびメインフレーム間の狭い空間に配置されているので、より大型のバッテリを配置することが困難である。
【０００４】
本発明は、かかる事情に鑑みてなされたものであり、より大型のバッテリを配置することを可能とするとともに、予備のバッテリのコンパクトな配置を可能とした鞍乗型電動車両を提供することを目的とする。
【課題を解決するための手段】
【０００５】
上記目的を達成するために、請求項１記載の発明は、前輪を下端部で軸支するフロントフォークおよび操向ハンドルを操向可能に支承するヘッドパイプと、該ヘッドパイプから後下がりに延びるメインフレームと、後輪を回転駆動する動力を発揮する電動モータとを備える鞍乗型電動車両において、前記ヘッドパイプもしくは前記メインフレームの前端部に連設されて下方に延びるダウンフレームと、前記メインフレームの後端部に連設されて下方に延びるピボットフレームと、前記メインフレームとで囲まれる第１の空間に、前記電動モータに電力を供給するメインバッテリが配置され、乗員用シートを支持するようにして前記メインフレームの後端部に連なるシートレールと、前記メインフレームとで囲まれる第２の空間に、前記メインバッテリに代わって前記電動モータに電力を供給し得るサブバッテリが配置され、電動モータが第１および第２の空間と異なる位置に配置されることを特徴とする。
【０００６】
また請求項２記載の発明は、請求項１記載の発明の構成に加えて、前記ピボットフレームに、後端部に前記後輪を軸支するスイングアームの前端部が上下に揺動可能に連結され、前記電動モータがその回転軸線を前記後輪と同軸として前記スイングアームの後端部に配設されることを特徴とする。
【０００７】
請求項３記載の発明は、請求項１または２記載の発明の構成に加えて、相互に結合されて前記メインバッテリを構成する複数のメインバッテリ用セルが、前記メインフレームに沿う上面を有して第１の空間に配置されるメインバッテリボックス内に、該メインバッテリボックスの形状に合わせて整列配置され、相互に結合されて前記サブバッテリを構成する複数のサブバッテリ用セルが、第２の空間に合わせて形成されて第２の空間に配置されるサブバッテリボックス内に、該サブバッテリボックスの形状に合わせて整列配置されることを特徴とする。
【０００８】
さらに請求項４記載の発明は、請求項３記載の発明の構成に加えて、前記ダウンフレームおよび前記ピボットフレームの下部間に、前記ダウンフレームおよび前記ピボットフレームを連結する連結状態と、その連結を解除して前記メインバッテリボックスを下方に取り出し可能とした連結解除状態とを切換えることを可能としたロアフレームが設けられることを特徴とする。
【０００９】
なお第２実施例ではリヤフレーム５２が本発明のシートレールに対応する。
【発明の効果】
【００１０】
請求項１記載の発明によれば、メインフレーム、ダウンフレームおよびピボットフレームで囲まれる第１の空間と、シートレールおよびメインフレームで囲まれる第２の空間とを、それらの空間と異なる位置に電動モータが配置されることによって大きな空間とし、そのような大きな第１および第２の空間にメインバッテリおよびサブバッテリを配置することで、より大型のバッテリを配置することができ、メインバッテリが空になったときにはメインバッテリに代わってサブバッテリから電動モータに電力を供給することができる。
【００１１】
また請求項２記載の発明によれば、電動モータが後輪と同軸にしてスイングアームの後端部に取付けられるので、メインバッテリおよびサブバッテリの配置スペースを確保しつつ電動モータをコンパクトに配置することができる。
【００１２】
請求項３記載の発明によれば、メインバッテリを構成すべく結合される複数のメインバッテリ用セルが、メインバッテリボックスの形状に合わせてメインバッテリボックス内に整列配置され、サブバッテリを構成すべく結合される複数のサブバッテリ用セルが、サブバッテリボックスの形状に合わせてサブバッテリボックス内に整列配置されるので、メインおよびサブバッテリボックス内により多くのバッテリセルを収納することができる。
【００１３】
さらに請求項４記載の発明によれば、ロアフレームの連結解除状態では、メインバッテリボックスを下方に取り出すことが可能であるので、メインバッテリのメンテナンス作業が容易となる。
【発明を実施するための最良の形態】
【００１４】
以下、本発明の実施の形態を、添付の図面に示した本発明の実施例に基づいて説明する。
【００１５】
図１〜図５は本発明の第１実施例を示すものであり、図１は自動二輪車の左側面図、図２は図１の２矢視図、図３は車体カバーを外した状態での自動二輪車の左側面図、図４は図３の４矢視図、図５はバッテリの着脱操作を説明するための図である。
【００１６】
先ず図１〜図４において、鞍乗型電動車両である自動二輪車の車体フレームＦＡは、下端部で前輪ＷＦを軸支するフロントフォーク１１ならびに該フロントフォーク１１の上部に連結されるバー状の操向ハンドル１２を操向可能に支承するヘッドパイプ１３と、該ヘッドパイプ１３から後下がりに延びるパイプ状のメインフレーム１４と、前記メインフレーム１４の後端部に連設されて下方に延びるピボットフレーム１６と、前記メインフレーム１４の後端部に連設されて後方に延びる左右一対のリヤフレーム１７…と、メインフレーム１４の後部および両リヤフレーム１７…の中間部間に設けられて後上がりに傾斜した左右一対のシートレール１８…とを備える。
【００１７】
両リヤフレーム１７…は、前記メインフレーム１４の後端部から後上がりに延びる傾斜部１７ａ…と、該傾斜部１７ａ…の後端から後方に向かって水平に延びる水平部１７ｂ…とを一体に有し、両水平部１７ｂ…の後部が相互に連結される。また前記シートレール１８…の後端は、リヤフレーム１７…における傾斜部１７ａ…の後側上部に連設される。
【００１８】
前記フロントフォーク１１には、前輪ＷＦを上方から覆うフロントフェンダ２０が取付けられ、前記リヤフレーム１７…には、後輪ＷＲを上方から覆うリヤフェンダ２１が取付けられる。またピボットフレーム１６の下部には、メインスタンド２２が回動可能に取付けられる。しかも前記ピボットフレーム１６には、後端部に後輪ＷＲを軸支するスイングアーム２３の前端部が上下に揺動可能に連結され、前記リヤフレーム１７…における水平部１７ｂ…の前部および前記スイングアーム２３の後部間にはリヤクッションユニット２４…が設けられる。また前記リヤフレーム１７…における水平部１７ｂ…上には荷台２５が設けられる。
【００１９】
前記荷台２５の前方には乗員用シート２８が配置されており、この乗員用シート２８は前記シートレール１８…にシート支持枠１９を介して支持されており、図５で示すように、該乗員用シート２８を前方に回動すること可能として前記シート支持枠１９で支持される。而してシート支持枠１９は、乗員用シート２８を支持する水平なシート支持部１９ａと、該シート支持部１９ａの前部から下方に延びる前脚部１９ｂと、前記シート支持部１９ａの後部から下方に延びる後脚部１９ｃとを有し、前脚部１９ｂの下端が前記シートレール１８…の前部に固着され、前記後脚部１９ｃの下端が前記リヤフレーム１７…における傾斜部１７ａ…の後部に固着される。
【００２０】
ところで、前記後輪ＷＲは電動モータ２９が発揮する動力で回転駆動されるものであり、その電動モータ２９に電力を供給するメインバッテリ３０が、前記メインフレーム１４と、車体フレームＦＡの一部を構成するとともに前記ヘッドパイプ１３もしくは前記メインフレーム１４の前端部（この実施例ではメインフレーム１４の前端部）に連設されて下方に延びるダウンフレーム１５と、前記ピボットフレーム１６とで囲まれる第１の空間Ｓ１（図１および図３参照）に配置される。一方、前記電動モータ２９は、その第１の空間Ｓ１と異なる位置に配置されるものであり、この実施例において電動モータ２９は、第１の空間Ｓ１よりも後方であって前記スイングアーム２３の後端部に、回転軸線を前記後輪ＷＲと同軸として配設される。
【００２１】
前記メインバッテリ３０は、複数のメインバッテリ用セル３１…が相互に結合されることで構成されるものであり、各メインバッテリ用セル３１…は、前記車体フレームＦＡにおけるメインフレーム１４にほぼ沿う上面を有してメインフレーム１４、ダウンフレーム１５およびピボットフレーム１６で囲まれる第１の空間Ｓ１に配置されるメインバッテリボックス３２内に、該メインバッテリボックス３２の形状に合わせて整列配置される。
【００２２】
而して前記メインバッテリボックス３２の上面は、後下がりに延びるメインフレーム１４の下面に沿うように形成されるものであり、この実施例では、後方に向かうにつれて段階的に低くなるように形成される。
【００２３】
しかもダウンフレーム１５およびピボットフレーム１６の下部間に、ダウンフレーム１５およびピボットフレーム１６を連結してメインバッテリボックス３２を支持する連結状態と、その連結を解除してメインバッテリボックス３２を下方に取り出し可能とした連結解除状態とを切換えることを可能としたロアフレーム３３が設けられるものであり、この実施例では、ロアフレーム３３の後部が前記ピボットフレーム１６の下部に支軸３４を介して揺動可能に連結され、ロアフレーム３３の前部は、着脱可能な連結ピン３５等によって前記ダウンフレーム１５の下部に着脱可能に連結される。すなわちロアフレーム３３は、その前部をダウンフレーム１５に連結した連結状態と、前部をダウンフレーム１５から外した連結解除状態とを切換え可能であり、連結解除状態では図５で示すようにロアフレーム３３をその前部が下方位置となるように回動して、メインバッテリボックス３２を下方に取り出することができる。
【００２４】
しかも連結状態にあるロアフレーム３３で支持されたメインバッテリボックス３２の上面および車体フレームＦＡ間には弾性部材３６…が介装される。
【００２５】
また前記ピボットフレーム１６の下部には、該ピボットフレーム１６から前方に延びる左右一対のステップ用フレーム３７，３７が連設されており、それらのステップ用フレーム３７…の前端に、乗員用シート２８に座った乗員が足を載せるためのステップ３８，３８がそれぞれ設けられる。
【００２６】
而してメインバッテリ３０を収納するメインバッテリボックス３２は、平面視では図２および図４で示すように、前記ステップ用フレーム３７…および前記ステップ３８…に重なることはなく、この実施例では、メインバッテリボックス３２の後部両側に配置される前記ステップ用フレーム３７…および前記ステップ３８…に対応して、メインバッテリボックス３２すなわちメインバッテリ３０の後部の幅は、メインバッテリボックス３２の前部の幅よりも小さく設定される。しかもメインバッテリ３０の容量を大きくするために、メインバッテリボックス３２は、その後端部が側面視で前記ステップ用フレーム３７…と重なるようにして後方に延びて形成される。
【００２７】
また前記メインフレーム１４と、前記シートレール１８…とで囲まれて前記乗員用シート２８の下方に位置する第２の空間Ｓ２に、前記メインバッテリ３０に代わって前記電動モータ２９に電力を供給し得るサブバッテリ４０が、図５で示すように乗員用シート２８を前方に回動した状態で第２の空間Ｓ２から離脱させることを可能として配置され、このサブバッテリ４０はシート支持枠１９で囲まれる。而して前記電動モータ２９は第１の空間Ｓ１と異なって第１の空間Ｓ１よりも後方の位置に配置されるものであり、前記スイングアーム２３の後端部に配設されるので、第２の空間Ｓ２とも異なる位置に配置されることになる。
【００２８】
前記サブバッテリ４０は、複数のサブバッテリ用セル４１…が相互に結合されて構成されるものであり、それらのサブバッテリ用セル４１…は、第２の空間Ｓ２に合わせて形成されて第２の空間Ｓ２に配置されるサブバッテリボックス４２内に、該サブバッテリボックス４２の形状に合わせて整列配置される。
【００２９】
前記車体フレームＦＡにおけるシートレール１８…には、前記メインバッテリ３０で温められた空気を第１の空間Ｓ１の後側に吸引して前記乗員用シート２８の後方に排出する第１の冷却用ファン４３が支持されており、第１の空間Ｓ１に配置されるメインバッテリボックス３２は、自動二輪車の前方からの走行風を前部から導入するとともに後側上部から排出することを可能として形成される。
【００３０】
また前記車体フレームＦＡにおけるシート支持枠１９の後脚部１９ｃには、第２の空間Ｓ２に配置されているサブバッテリボックス４２で温められた空気を第２の空間Ｓ２から吸引して乗員用シート２８の後方に排出する第２の冷却用ファン４４が支持される。
【００３１】
ところで、前記乗員用シート２８に座った乗員の左右両脚部はレッグシールド４５…でそれぞれ前方から覆われるものであり、これらのレッグシールド４５…は、前記メインフレーム１４を上方から覆うとともに前記メインバッテリボックス３２の前部を両側から覆う合成樹脂製のセンターカバー４６に一体に設けられる。一方、前記シートレール１８…、シート支持枠１９、サブバッテリボックス４２および第２の冷却ファン４４は、前記乗員用シート２８の下方に配置される左右一対の合成樹脂から成るサイドカバー４７…で両側から覆われるものであり、合成樹脂から成るサイドカバー４７…は前記センターカバー４６に連設され、該センターカバー４６とともに車体カバー４８を構成する。
【００３２】
しかも前記メインバッテリ３０および前記サブバッテリ４０から供給される電力を受けて前記電動モータ２９を駆動する駆動回路手段４９が、両サイドカバー４７…の一方内に収容され、両サイドカバー４７…の他方内に、前記メインバッテリ３０に充電するための充電回路手段５０が収容される。また前記乗員用シート２８および前記サブバッテリボックス４２間には、充電用コード５１が収容される。
【００３３】
次にこの第１実施例の作用について説明すると、後輪ＷＲを回転駆動する動力を発揮する電動モータ２９に電力を供給するメインバッテリ３０が、メインフレーム１４の前端部に連設されて下方に延びるダウンフレーム１５と、メインフレーム１４の後端部に連設されて下方に延びるピボットフレーム１６と、メインフレーム１４とで囲まれる第１の空間Ｓ１に配置され、電動モータ２９が第１の空間Ｓ１と異なる位置に配置されるので、第１の空間Ｓ１を大きな空間とし、その大きな第１の空間Ｓ１にメインバッテリ３０を配置することで、大型のメインバッテリ３０を配置することができる。
【００３４】
またピボットフレーム１６には、後端部に後輪ＷＲを軸支するスイングアーム２３の前端部が上下に揺動可能に連結されており、電動モータ２９がその回転軸線を後輪ＷＲと同軸としてスイングアーム２３の後端部に配設されるので、メインバッテリ３０の配置スペースを確保しつつ電動モータ２９をコンパクトに配置することができる。
【００３５】
またダウンフレーム１５およびピボットフレーム１６の下部間に、ダウンフレーム１５およびピボットフレーム１６を連結してメインバッテリボックス３２を支持する連結状態と、その連結を解除してメインバッテリボックス３２を下方に取り出し可能とした連結解除状態とを切換えることを可能としたロアフレーム３３が設けられるので、ロアフレーム３３の連結解除状態では、メインバッテリボックス３２を下方に取り出すことが可能となり、メインバッテリ３０のメンテナンス作業が容易となる。
【００３６】
また前記第１の空間Ｓ１にメインバッテリ３０が配置されるのに対して、メインバッテリ３０に代わって前記電動モータ２９に電力を供給し得るサブバッテリ４０が、メインフレーム１４の後端部に連設されて後上がりに延びるリヤフレーム１７…と、メインフレーム１４の後部およびリヤフレーム１７…の中間部間を連結するとともに乗員用シート２８を支持するシートレール１８…と、前記メインフレーム１４とで囲まれる第２の空間Ｓ２に配置され、電動モータ２９は第２の空間Ｓ２とも異なる位置に配置されるので、電動モータ２９が配置されないことによって大きく形成し得る第１および第２の空間Ｓ１，Ｓ２にメインバッテリ３０およびサブバッテリ４０を配置することで、より大型のメインバッテリ３０およびサブバッテリ４０を配置することができ、メインバッテリ３０が空になったときにはメインバッテリ３０に代わってサブバッテリ４０から電動モータ２９に電力を供給することができる。
【００３７】
またメインバッテリ３０は、複数のメインバッテリ用セル３１…が相互に結合されて構成されるものであり、それらのメインバッテリ用セル３１…が、メインフレーム１４の下面にほぼ沿う上面を有して前記メインフレーム１４、前記ダウンフレーム１５および前記ピボットフレーム１６で囲まれる第１の空間Ｓ１に配置されるメインバッテリボックス３２内に、該メインバッテリボックス３２の形状に合わせて整列配置され、サブバッテリ４０は、複数のサブバッテリ用セル４１…が相互に結合されて構成され、それらのサブバッテリ用セル４１…が、第２の空間Ｓ２に合わせて形成されて第２の空間Ｓ２に配置されるサブバッテリボックス４２内に、該サブバッテリボックス４２の形状に合わせて整列配置されるので、メインバッテリボックス３２内により多くのメインバッテリ用セル３１…を収納することができ、サブバッテリボックス４２内により多くのサブバッテリ用セル４１…を収納することができる。
【００３８】
またシートレール１８…上に設けられる乗員用シート２８の下方に、前記シートレール１８…を側方から覆うサイドカバー４７…が配置され、メインバッテリ３０またはサブバッテリ４０から供給される電力を受けて電動モータ２９を駆動する駆動回路手段４９がサイドカバー４９内に収容されるので、駆動回動手段４９が外方に見えないようにして外観性を高めることができる。
【００３９】
しかも左右一対の前記サイドカバー４７…がシートレール１８…の左右両側に配置され、両サイドカバー４７…の一方内に前記駆動回路手段４９が収容され、両サイドカバー４７…の他方内に、前記メインバッテリ３０に充電するための充電回路手段５０が収容されるので、左右の重量バランスを良好にしつつ両サイドカバー４７…内の空間を有効に利用して、良好な外観性を得ながら駆動回路手段４９および充電回路手段５０を配置することができる。
【００４０】
また車体フレームＦＡにおけるシートレール１８…には、メインバッテリ３０で温められた空気を第１の空間Ｓ１の後側に吸引して乗員用シート２８の後方に排出する第１の冷却用ファン４３が支持されており、第１の空間Ｓ１に配置されるメインバッテリボックス３２は、自動二輪車の前方からの走行風を前部から導入するとともに後側上部から排出することを可能として形成されるので、メインバッテリ３０で発生する熱を、乗員用シート２８の後方に排出することができる。
【００４１】
しかもメインバッテリボックス３２は、自動二輪車の前方からの走行風を前部から導入するとともに後側上部から排出することを可能として形成されており、そのメインバッテリボックス３２にメインバッテリ３０が収容されるので、第１の冷却用ファン４３の作動によってメインバッテリボックス３２内の空気を効果的に排出することができ、メインバッテリボックス３２内のメインバッテリ３０を効果的に冷却することができる。
【００４２】
またリヤフレーム１７…、シートレール１８…およびメインフレーム１４で囲まれる第２の空間Ｓ２に、メインバッテリ３０に代わって電動モータ２９に電力を供給し得るサブバッテリ４０が配置され、サブバッテリ４０で温められた空気を第２の空間Ｓ２から吸引して乗員用シー２８の後方に排出する第２の冷却用ファン４４が前記車体フレームＦＡにおけるシート支持枠１９の後脚部１９ｃに支持されるので、サブバッテリ４０で発生する熱を、乗員用シート２８の後方に排出することができる。
【００４３】
さらにメインバッテリ３０およびメインバッテリボックス３２は、両ステップ用フレーム３７…ならびに両ステップ用フレーム３７…の前端に設けられるステップ３８…に平面視で重なることを避けて第１の空間Ｓ１に配置されるので、両ステップ用フレーム３７…間の幅が大きくなることを避けながら乗員の足載せ性を高めることができる。また両ステップ用フレーム３７…および両ステップ３８…の配置によって乗員用シート２８に乗員が跨がる部分ではメインバッテリ３０の幅が狭くならざるを得ないのであるが、両ステップ用フレーム３７…および両ステップ３８…よりも前方に配置される部分でメインバッテリ３０の幅を広くすることにより、乗員の足載せ性を高めつつメインバッテリボックス３２の容量を極力大きくし、メインバッテリボックス３２により多くのメインバッテリ用セル３１…を収容してメインバッテリ３０を大型化することができる。
【００４４】
図６は本発明の第２実施例を示すものであり、第１実施例に対応する部分には同一の参照符号を付して図示するのみとし、詳細な説明は省略する。
【００４５】
この自動二輪車の車体フレームＦＢは、下端部で前輪ＷＦを軸支するフロントフォーク１１および操向ハンドル１２を操向可能に支承するヘッドパイプ１３と、該ヘッドパイプ１３から後下がりに延びるパイプ状のメインフレーム１４と、左右に分割可能として前記メインフレーム１３の下部に連設されるリヤフレーム５２とを備え、リヤフレーム５２は、前記メインフレーム１４の後端に連なって下方に延びるピボットフレーム５３を一体に有するとともに、乗員用シート２８を支持するシートレールならびに後輪ＷＲを上方から覆うリヤフェンダの機能を有する。
【００４６】
前記ピボットフレーム５３の下部には、該ピボットフレーム５３から前方に延びる左右一対のステップ用フレーム３７…が連設されており、それらのステップ用フレーム３７…の前端に、乗員用シート２８に座った乗員が足を載せるためのステップ３８…が設けられる。
【００４７】
前記ピボットフレーム５３の下部に揺動可能に支承されるスイングアーム２３の後部に後輪ＷＲが軸支されるととともに、後輪ＷＲを回転駆動する動力を発揮する電動モータ２９が、その回転軸線を前記後輪ＷＲと同軸として配設される。
【００４８】
電動モータ２９に電力を供給するメインバッテリ３０は、複数のメインバッテリ用セル３１…が相互に結合されることで構成されてメインバッテリボックス３２内に収容されるものであり、メインフレーム１４と、前記ヘッドパイプ１３もしくは前記メインフレーム１４の前端部（この実施例ではメインフレーム１４の前端部）に連設されて下方に延びるダウンフレーム１５と、前記ピボットフレーム５３とで囲まれる第１の空間Ｓ１に、平面視で前記ステップ用フレーム３７…および前記ステップ３８…に重なることがないようにしてメインバッテリボックス３２が配置され、このメインバッテリボックス３２の上面は、後下がりに延びるメインフレーム１４の下面に沿うようにして、後方に向かうにつれて段階的に低くなるように形成される。
【００４９】
しかもダウンフレーム１５およびピボットフレーム５３の下部間には、ダウンフレーム１５およびピボットフレーム５３を連結してメインバッテリボックス３２を支持する連結状態と、その連結を解除してメインバッテリボックス３２を下方に取り出し可能とした連結解除状態とを切換えることを可能としたロアフレーム３３が設けられ、このロアフレーム３３は、その前部をダウンフレーム１５に連結した連結状態と、前部をダウンフレーム１５から外した連結解除状態とを切換え可能であり、連結解除状態ではロアフレーム３３をその前部が下方位置となるように回動して、メインバッテリボックス３２を下方に取り出することができる。
【００５０】
また前記メインフレーム１４と、前記シートレールの機能を果たすリヤフレーム５２とで囲まれて前記乗員用シート２８の下方に位置する第２の空間Ｓ２に、前記メインバッテリ３０に代わって前記電動モータ２９に電力を供給し得るサブバッテリ４０が配置される。このサブバッテリ４０は、複数のサブバッテリ用セル４１…が相互に結合されて構成されるものであり、それらのサブバッテリ用セル４１…は、第２の空間Ｓ２に合わせて形成されて第２の空間Ｓ２に配置されるサブバッテリボックス４２内に、該サブバッテリボックス４２の形状に合わせて整列配置される。
【００５１】
前記車体フレームＦＢにおけるリヤフレーム５２には、メインバッテリ３０で温められた空気を第１の空間Ｓ１の後側に吸引して乗員用シート２８の後方に排出する第１の冷却用ファン４３が支持されており、第１の空間Ｓ１に配置されるメインバッテリボックス３２は、自動二輪車の前方からの走行風を前部から導入するとともに後側上部から排出することを可能として形成される。
【００５２】
また前記車体フレームＦＢにおけリヤフレーム５２には、第２の空間Ｓ２に配置されるサブバッテリ４０で温められた空気を吸引して乗員用シート２８の後方に排出する第２の冷却用ファン４４が支持される。
【００５３】
ところで、前記乗員用シート２８に座った乗員の左右両脚部はレッグシールド４５…でそれぞれ前方から覆われるものであり、これらのレッグシールド４５…は、前記メインフレーム１４を上方から覆うとともに前記メインバッテリボックス３２の前部を両側から覆う合成樹脂製のセンターカバー４６に一体に設けられる。一方、サブバッテリボックス４２および第２の冷却ファン４４は、前記乗員用シート２８の下方に配置される左右一対の合成樹脂から成るサイドカバー５４…で両側から覆われるものであり、合成樹脂から成るサイドカバー５４…は前記センターカバー４６およびリヤフレーム５２に連設される。
【００５４】
しかも前記メインバッテリ３０および前記サブバッテリ４０から供給される電力を受けて前記電動モータ２９を駆動する駆動回路手段４９と、前記メインバッテリ３０に充電するための充電回路手段５０とが、前記リヤフレーム５２内に収容される。
【００５５】
この第２実施例によっても第１実施例と同様の効果を奏することができる。
【００５６】
以上、本発明の実施例を説明したが、本発明は上記実施例に限定されるものではなく、特許請求の範囲に記載された本発明を逸脱することなく種々の設計変更を行うことが可能である。
【図面の簡単な説明】
【００５７】
【図１】第１実施例の自動二輪車の左側面図である。
【図２】図１の２矢視図である。
【図３】車体カバーを外した状態での自動二輪車の左側面図である。
【図４】図３の４矢視図である。
【図５】バッテリの着脱操作を説明するための図である。
【図６】第２実施例の自動二輪車の左側面図である。
【符号の説明】
【００５８】
１１・・・フロントフォーク
１２・・・操向ハンドル
１３・・・ヘッドパイプ
１４・・・メインフレーム
１５・・・ダウンフレーム
１６，５３・・・ピボットフレーム
１８・・・シートレール
２３・・・スイングアーム
２８・・・乗員用シート
２９・・・電動モータ
３０・・・メインバッテリ
３１・・・メインバッテリ用セル
３２・・・メインバッテリボックス
３３・・・ロアフレーム
４０・・・サブバッテリ
４１・・・サブバッテリ用セル
４２・・・サブバッテリボックス
５２・・・シートレールとしてのリヤフレーム
Ｓ１・・・第１の空間
Ｓ２・・・第２の空間
ＷＦ・・・前輪
ＷＲ・・・後輪
【図１】
2010083332.tif 000003
【図２】
2010083332.tif 000004
【図３】
2010083332.tif 000005
【図４】
2010083332.tif 000006
【図５】
2010083332.tif 000007
【図６】
2010083332.tif 000008